(57)【要約】【課題】無線通信中でも、デジタル放送の放送受信情報の欠落が無い放送受信機能付き携帯電話機を提供する。【解決手段】制御部１０は、ＬＴＥ無線通信部３０が無線通信を行う前にＬＴＥ無線通信部３０が無線通信を行っても、デジタル放送受信部２０が受信中の放送チャンネルを基準値以上の受信感度にて受信可能か判断する。次に、制御部１０はデジタル放送受信部２０が受信中の放送チャンネルを基準値以上の受信感度にて受信できないと判断したときには、ＧＰＳ受信部４０によって特定された自機の現在位置と、記憶部１５に記憶された放送基地局の位置と放送チャンネルおよび送信電力より、放送チャンネルと同一内容の他の放送チャンネルの中から、基準値以上の受信感度を有する放送チャンネルを選択する。制御部１０は、デジタル放送受信部２０が受信中の放送チャンネルを選択した放送チャンネルに切り換えてから、ＬＴＥ無線通信部３０が無線通信を開始する。【選択図】図１
2015133622.tif 000002
【特許請求の範囲】
【請求項１】
無線通信基地局と無線通信を行う無線通信手段と、
放送基地局から放送チャンネル毎に放送される放送波を受信する放送受信手段と、
航法衛星からの信号を受信し、自機の現在位置を特定する衛星測位受信手段と、
国内の前記放送基地局の位置と放送チャンネル（送信周波数）および送信電力を記憶した記憶手段と、
これらの手段を制御する制御手段と、を備え、
前記制御手段は前記無線通信手段が前記無線通信を行う前に、
前記無線通信手段が前記無線通信を行っても、前記放送受信手段が受信中の前記放送波を基準値以上の受信感度にて受信可能か判断し、
前記制御手段は前記放送受信手段が受信中の前記放送波を基準値以上の受信感度にて受信できると判断したときには、前記放送受信手段が前記放送波の受信を継続して、前記無線通信手段が前記無線通信を開始し、
前記制御手段は前記放送受信手段が受信中の前記放送波を基準値以上の受信感度にて受信できないと判断したときには、
前記衛星測位受信手段によって特定された自機の現在位置と前記記憶手段に記憶された前記放送基地局の前記位置と前記放送チャンネルおよび前記送信電力より前記放送波と同一内容の他の前記放送チャンネルの中から、基準値以上の受信感度を有する前記放送チャンネルを選択し、
前記制御手段は前記放送受信手段が受信中の前記放送チャンネルを、前記選択した前記放送波の前記放送チャンネルに切り換えてから、前記無線通信手段が前記無線通信を開始することを特徴とする放送受信機能付き携帯電話機。
【請求項２】
前記無線通信手段が前記無線通信を終了した後に、
前記制御手段は前記放送受信手段が前記無線通信を開始する前に、前記放送受信手段が受信していた前記放送チャンネルに切り換えて前記放送波を受信することを特徴とする請求項１に記載の放送受信機能付き携帯電話機。
【発明の詳細な説明】
【技術分野】
【０００１】
本発明は、地上デジタル放送受信機が搭載される放送受信機能付き携帯電話機に関する。
【背景技術】
【０００２】
近年、携帯電話機およびスマートフォンは、従来の音声通話機能およびインターネット閲覧等だけでなく、携帯電話機およびスマートフォン上で地上デジタル放送を視聴できるサービスが提供されている。
【０００３】
また、国内における携帯電話機およびスマートフォン等の普及により、携帯電話システムにおけるデータ通信量の急増に対応するために、ＬＯＮＧ  ＴＥＲＭ  ＥＶＯＬＵＴＩＯＮ（以下、ＬＴＥと記す）技術に対応した新しい携帯電話システムが導入されはじめている。また、ＬＴＥ技術の導入に合わせて、新しい周波数帯（７００ＭＨＺ帯）が割り当てられ、運用が開始される予定である。
【０００４】
従来の放送受信機能付き携帯電話機としては、下記の特許文献１に記載の放送受信機能付き携帯電話機が知られている。
【０００５】
以下、図５を用いて、特許文献１に記載の放送受信機能付き携帯電話機について説明する。図５は、特許文献１に記載の放送受信機能付き携帯移動電話機９００の構成を示すブロック図である。
【０００６】
放送受信機能付き携帯移動電話機９００は、主放送受信部９１０と、副放送受信部９２０と、副放送受信部９２０を介して受信した、主放送受信部９１０の受信局の関連局の情報を登録する関連局情報登録手段９４０と、主放送受信部９１０の受信情報と副放送受信部９２０の受信情報との受信品質（受信感度）を比較するとともに、放送内容が同一であるか否かを判定する受信データおよび品質比較部９３０とを備える。
【０００７】
主放送受信部９１０で放送受信中に受信品質（受信感度）の劣化が生じたとき、副放送受信部９２０を起動して関連局の放送の受信を順次試行して、主放送受信部９１０で受信中の放送と同一内容であって、基準値以上の受信感度を有するものを検出したとき、主放送受信部９１０の受信局をその局に切り換えるように構成されている。
【先行技術文献】
【特許文献】
【０００８】
【特許文献１】特開２００７−１８９４５８号公報
【発明の概要】
【発明が解決しようとする課題】
【０００９】
しかしながら、ＬＴＥ技術の導入に合わせて、新しい周波数帯（７００ＭＨＺ帯）が割り当てられ運用が開始された場合、図４に示す新しく割り当てられたＬＴＥ無線通信（端末）用周波数は、地上デジタル放送の周波数帯に非常に近くなる。このため、無線通信手段からの送信波は、放送受信手段にとって非常に大きな妨害波となる。このような場合、従来技術の放送受信機能付き携帯移動電話機９００では、無線通信を開始した後に受信感度が劣化して基準値以下となったときに、同一内容の他の放送チャンネルに切り換えるので、放送受信情報が欠落する。
【００１０】
本発明は、上述した課題を解決するもので、制御手段は、無線通信を開始する前に同一内容の他の放送チャンネルに切り換える制御を行うことで、無線通信中でも放送受信情報の欠落が無い放送受信機能付き携帯電話機を提供するものである。
【課題を解決するための手段】
【００１１】
この課題を解決するために、請求項１に記載の放送受信機能付き携帯電話機は、無線通信基地局と無線通信を行う無線通信手段と、放送基地局から放送チャンネル毎に放送される放送波を受信する放送受信手段と、航法衛星からの信号を受信し自機の現在位置を特定する衛星測位受信手段と、国内の前記放送基地局の位置と放送チャンネル（送信周波数）および送信電力を記憶した記憶手段と、これらの手段を制御する制御手段と、を備えて構成される。前記制御手段は前記無線通信手段が前記無線通信を行う前に、前記無線通信手段が前記無線通信を行っても、前記放送受信手段が受信中の前記放送波を基準値以上の受信感度にて受信可能か判断し、前記制御手段は前記放送受信手段が受信中の前記放送波を基準値以上の受信感度にて受信できると判断したときには、前記放送受信手段が前記放送波の受信を継続して前記無線通信手段が前記無線通信を開始し、前記制御手段は前記放送受信手段が受信中の前記放送波を基準値以上の受信感度にて受信できないと判断したときには、前記衛星測位受信手段によって特定された自機の現在位置と、前記記憶手段に記憶された前記放送基地局の前記位置と、前記放送チャンネルおよび前記送信電力より、前記放送波と同一内容の他の前記放送チャンネルの中から、基準値以上の受信感度を有する前記放送チャンネルを選択し、前記制御手段は前記放送受信手段が受信中の前記放送チャンネルを、前記選択した前記放送波の前記放送チャンネルに切り換えてから、前記無線通信手段が前記無線通信を開始する特徴を有する。
【００１２】
また、請求項２に記載の放送受信機能付き携帯電話機は、前記無線通信手段が前記無線通信を終了した後に、前記制御手段は、前記放送受信手段が前記無線通信を開始する前に、前記放送受信手段が受信していた前記放送チャンネルに切り換えて前記放送波を受信する特徴を有する。
【発明の効果】
【００１３】
請求項１の発明によれば、制御手段は、衛星測位受信手段による自機の現在位置を特定する。また、国内の放送基地局の位置と放送チャンネルおよび送信電力が記憶手段にあらかじめ記憶されている。よって、制御手段は、これらの記憶手段に記憶されたデータと自機の現在位置より、放送受信機能が受信中の放送チャンネルが無線通信を開始しても、基準値以上の受信感度を得ることができるかを判断することができる。従って、制御手段は、基準値以上の受信感度を得ることができると判断されるときは、放送受信機能は受信中の放送チャンネルを継続して受信する制御を行い、基準値以上の受信感度を得られないと判断されるときに、制御手段は、無線通信を開始する前に同一内容の他の放送チャンネルに切り換える制御を行うことで、無線通信中でも放送受信情報の欠落が無い放送受信機能付き携帯電話機を提供するものである。
【００１４】
請求項２の発明によれば、無線通信中から無線通信が終了した場合には、制御手段は、自機の現在位置における受信感度が基準値より高く、且つ、受信感度が一番高いと選択された無線通信前に受信していた放送チャンネルに切り換えて、放送受信手段が放送波を受信することができる。
【００１５】
以上により、本発明によれば、制御手段は、無線通信を開始する前に同一内容の他の放送チャンネルに切り換える制御を行うことで、無線通信中でも放送受信情報の欠落が無い放送受信機能付き携帯電話機を提供するものである。
【図面の簡単な説明】
【００１６】
【図１】本発明の第１実施形態に係る放送受信機能付き携帯電話機の構成を示すブロック図である。
【図２】本発明の第１実施形態に係る放送受信機能の構成を示すブロック図である。
【図３】本発明の第１実施形態に係る放送受信機能付き携帯電話機の処理を示すフローチャートである。
【図４】本発明の第１実施形態に係る日本国内における７００ＭＨＺ帯の周波数割り当て表である。
【図５】従来例１の放送受信機能付き携帯電話機の構成を示すブロック図である。
【発明を実施するための形態】
【００１７】
［第１実施形態］
以下に、本発明の第１実施形態における放送受信機能付き携帯電話機１００について図１から図４までを用いて説明する。
【００１８】
第１実施形態の放送受信機能付き携帯電話機１００の構成について、図１を用いて説明する。
【００１９】
放送受信機能付き携帯電話機１００は図１に示すように、放送受信手段としてのデジタル放送受信部２０と、無線通信手段としてのＬＴＥ無線通信部３０と、衛星測位受信手段としてのＧＬＯＢＡＬ  ＰＯＳＩＴＩＯＮＩＮＧ  ＳＹＳＴＥＭ（以下、ＧＰＳと記す）受信部４０と、記憶手段としての記憶部１５と、制御手段としての制御部１０と、を備えて構成される。
【００２０】
制御部１０は、あらかじめ記憶されたプログラムに基づき制御を行う。また、制御部１０は、図１に示すように、記憶部１５と、制御部１０と入出力部とのインターフェイスを行うＩ／Ｆ部５０と、デジタル放送受信部２０と、ＬＴＥ無線通信部３０と、ＧＰＳ受信部４０と、にそれぞれ接続され、これらを制御している。
【００２１】
記憶部１５は、国内の放送基地局の位置と放送チャンネル（送信周波数）および送信電力のデータが記憶されている。また、記憶部１５は、デジタル放送受信部２０の無線通信時における放送チャンネル毎の受信感度が記憶されている。
【００２２】
デジタル放送受信部２０は、放送アンテナ１１と接続されて放送基地局からの放送波を受信する。また、デジタル放送受信部２０は、受信した復調データをＴＲＡＮＳＰＯＲＴ  ＳＴＲＥＡＭ（以下、ＴＳと記す）信号に変換して、制御部１０に送る。
【００２３】
放送アンテナ１１は、図４に示すデジタル放送の周波数帯域（４７０ＭＨＺ〜７１０ＭＨＺ）の放送波を受信するアンテナである。また、放送アンテナ１１は、金属等で小型化して構成されている。
【００２４】
ＬＴＥ無線通信部３０は、無線通信アンテナ１２と接続されて無線通信基地局との間でＬＴＥ方式の無線通信を行う。
【００２５】
無線通信アンテナ１２は、図４に示す送信用周波数帯域（７１８ＭＨＺ〜７４８ＭＨＺ）と受信用周波数帯域（７７３ＭＨＺ〜８０３ＭＨＺ）のＬＴＥ無線通信を送受信するアンテナである。また、無線通信アンテナ１２は、金属等で小型化して構成されている。
【００２６】
ＧＰＳ受信部４０は、ＧＰＳアンテナ１３と接続されて航法衛星（ＧＰＳ）からの信号を受信する。また、ＧＰＳ受信部４０は、受信された信号を復調して自機の現在位置データを求めて、制御部１０に送る。
【００２７】
ＧＰＳアンテナ１３は、ＧＰＳの周波数帯域（１５７５．４２ＭＨＺ）のＧＰＳ信号を受信するアンテナである。また、ＧＰＳアンテナ１３は、金属等で小型化して構成されている。
【００２８】
Ｉ／Ｆ部５０は、表示部５１と、音声出力部５２と、音声入力部５３と、データ入出力部５４と、にそれぞれ接続され、制御部１０との間で、データ等の送受信を制御するインターフェイスである。
【００２９】
表示部５１は、デジタル放送受信部２０で受信した番組の映像を表示する。また、表示部５１は、ＬＴＥ無線通信部３０で受信したメール内容等を表示する。また、表示部５１は、一般的に液晶パネル等で構成されている。
【００３０】
音声出力部５２は、図示しないスピーカ等で構成される。また、音声出力部５２は、デジタル放送受信部２０で受信した番組の音声を出力し、ＬＴＥ無線通信部３０で受信した音声通話を出力する。
【００３１】
音声入力部５３は、図示しないマイク等で構成される。また、音声入力部５３は、ＬＴＥ無線通信部３０で音声通話を入力する。
【００３２】
データ入出力部５４は、メールおよびインターネット等のデータを入出力する。
【００３３】
ここで、デジタル放送受信部２０について、図２を用いて説明する。図２はデジタル放送受信部２０の構成を示すブロック図である。
【００３４】
デジタル放送受信部２０は図２に示すように、狭帯域除去フィルター２１と、低雑音増幅部２２と、ミキサー部２３と、低域通過フィルター２５と、局部発振部２４と、ＡＮＡＬＯＧ  ＴＯ  ＤＩＧＩＴＡＬ  ＣＯＮＶＥＲＴＥＲ（以下、ＡＤＣと記す）２６と、データ復調部２７と、ＴＳ出力部２８と、を備えて構成される。
【００３５】
デジタル放送受信部２０は、放送受信機能付き携帯電話機１００の制御部１０によって、ユーザが選択した放送チャンネルを選局する制御をされる。次に、放送アンテナ１１にて受信された放送信号は、狭帯域除去フィルター２１を介して低雑音増幅部２２にて増幅され、ミキサー部２３において局部発振部２４からの信号と混合されて、低域通過フィルター２５へ送られる。
【００３６】
低域通過フィルター２５にてフィルターされた放送信号は、ＡＤＣ２６にてアナログ信号からデジタル信号に変換され、データ復調部２７に送られる。次に、データ復調部２７にて復調されたデータをＴＳ出力部２８に送りＴＳ信号に変換して、放送受信機能付き携帯電話機１００の制御部１０に出力する。
【００３７】
ここで、放送受信機能付き携帯電話機１００の動作について、図３を用いて説明する。図３は、第１実施形態に係る放送受信機能付き携帯電話機１００の処理を示すフローチャートで、手順Ｓ−ｍは放送受信機能付き携帯電話機１００の制御部１０の処理を示している（ｍは自然数）。
【００３８】
手順Ｓ−１で、ユーザは、放送受信機能付き携帯電話機１００の電源をオンにしてデジタル放送を視聴する準備を行う。次に、ユーザは、視聴したい番組の放送チャンネルをキー入力等により選局（選択）し、選局した制御信号を制御部１０へ送る。また、制御部１０は、ＬＴＥ無線通信部３０の送信部の動作は中止して、受信部は動作する制御を行う。また、制御部１０は、３個以上の航法衛星からの信号がＧＰＳアンテナ１３を介してＧＰＳ受信部４０で受信するように制御し、自機の現在位置を特定して、データを記憶部１５に記憶する。
【００３９】
手順Ｓ−２で、制御部１０は、デジタル放送受信部２０を制御して、受信可能な放送チャンネルの中からユーザが選局した放送チャンネルを受信する。次に、制御部１０は、番組の映像を表示部５１に表示する制御を行い、同時に番組の音声を音声出力部５２から出力する制御を行う。これにより、ユーザは選局した番組内容の視聴を開始することができる。
【００４０】
手順Ｓ−３で、ＬＴＥ無線通信部３０は、図示しない無線通信基地局からの無線信号を受信し、リクエスト内容を復調して制御部１０へ送る。制御部１０は、リクエスト内容がメール等の受信リクエストの場合は、メール等の受信を行い受信したデータを記憶部１５に記憶して、ＹＥＳ方向の制御を行う。また、制御部１０は、リクエスト内容が音声通話リクエストの場合は、ＮＯ方向の制御を行う。ここで、ＹＥＳ方向の制御を行う理由は、メール等の受信では無線通信基地局からの送信電力は、無線通信基地局と自機の距離があるため減衰する。よって、デジタル放送受信部２０への妨害波レベルは非常に弱いので、手順Ｓ−２にて選局した番組内容の視聴に影響が無いためである。
【００４１】
手順Ｓ−４で、制御部１０は、ＬＴＥ無線通信部３０が無線通信を開始しても、デジタル放送受信部２０が手順Ｓ−２にて選局した放送チャンネルの受信を継続しても、基準値以上の受信感度を得ることができるかの可否を判断する。また、制御部１０は、記憶部１５に記憶されたデジタル放送受信部２０のＬＴＥ無線通信時における放送チャンネル毎の受信感度データを取り出す。このデータより制御部１０は、ＬＴＥ無線通信部３０が無線通信を開始しても、デジタル放送受信部２０が手順Ｓ−２にて選局した放送チャンネルの受信を継続しても、基準値以上の受信感度を得られると判断した場合は、ＹＥＳ方向の制御を行う。また、制御部１０は、ＬＴＥ無線通信部３０が無線通信を開始して、デジタル放送受信部２０が手順Ｓ−２にて選局した放送チャンネルの受信を継続しても、基準値以上の受信感度を得られないと判断した場合は、ＮＯ方向の制御を行う。
【００４２】
手順Ｓ−５で、制御部１０は、記憶部１５に記憶された自機の現在位置のデータと、放送基地局の位置と放送チャンネルおよび送信電力のデータを取り出す。これらのデータより、制御部１０は、ＬＴＥ無線通信部３０が無線通信を開始しても、デジタル放送受信部２０が手順Ｓ−２にて選局した放送チャンネルと同一内容の番組を放送している他の放送チャンネルを判断する。次に、制御部１０は、判断された放送チャンネルの中で、基準値以上の受信感度を得ると判断されて、もっとも受信感度が高い放送チャンネルを判断して選局する。次に、制御部１０は、選局した放送チャンネルに切り換える制御を行う。また、制御部１０は、ＬＴＥ無線通信部３０が無線通信を開始して、デジタル放送受信部２０が手順Ｓ−２にて選局した放送チャンネルと同一内容の番組を放送している他の放送チャンネルを判断し、判断された放送チャンネルの全てで、基準値以上の受信感度を得られない場合は、その旨をユーザに知らせる制御を行い、デジタル放送受信部２０をオフにして、デジタル放送の視聴を中止する制御を行う。
【００４３】
受信感度（受信可能な最小の電界強度からの余裕度）は、一例として、次の計算式で求められる。
受信感度＝１０ｌｏｇ（送信電力［Ｗ］／０．００１）−２０ｌｏｇ（２．４４π×Ｄ／λ）−ＬＴＥ送信時のＴＶ放送受信可能電界強度
但し、πは円周率、Ｄは、予め記憶されている放送基地局の位置データと、ＧＰＳで特定された自機の位置データから算出される放送基地局と自機との距離、λは、放送波の周波数における波長、ＬＴＥ送信時のＴＶ放送受信可能電界強度は、放送波の周波数を考慮の上、チャンネル毎に予め記憶されている値である。尚、現在位置と放送基地局との間にある山などの障害物の影響を考慮した補正項を上記計算式に追加し受信可否の判断おこなうことも可能である。
【００４４】
手順Ｓ−６で、制御部１０は、ＬＴＥ無線通信部３０を制御して、図示しない無線通信基地局との間で無線通信を開始し、音声通話を行う制御を行う。同時に、制御部１０は、デジタル放送受信部２０が手順Ｓ−５で選局した放送チャンネル、または手順Ｓ−８で選局した放送チャンネルにて、番組の映像を表示部５１に表示し、音声出力部５２には番組の音声を出力しない制御を行う。これにより、ユーザは選局した番組内容の映像を継続して見ることができる。
【００４５】
手順Ｓ−７で、ＬＴＥ無線通信部３０は、図示しない無線通信基地局との間の無線通信の音声通話を終了した場合は、終了した旨の制御信号を制御部１０に送る。次に、制御部１０は、無線通信を終了する制御を行う。
【００４６】
手順Ｓ−８で、制御部１０は、手順Ｓ−２で選局した放送チャンネルまたは手順Ｓ−５にて判断された同一内容の番組の放送チャンネルで、基準値以上の受信感度を得ると判断されて、もっとも受信感度が高い他の放送チャンネルを選局する制御を行う。
【００４７】
手順Ｓ−９で、制御部１０は、デジタル放送受信部２０を手順Ｓ−２で選局した受信感度がもっとも高い放送チャンネルに切り換える制御を行う。次に、制御部１０は、番組の映像を表示部５１に表示する制御を行い、同時に番組の音声を音声出力部５２から出力する制御を行う。これにより、ユーザは選局した番組内容の視聴を再開することができる。
【００４８】
以上説明したように、第１実施形態の制御部１０は、無線通信を開始する前に同一内容の番組を放送している他の放送チャンネルに切り換える制御を行うことで、無線通信中でもデジタル放送の放送受信情報の欠落が無い放送受信機能付き携帯電話機１００を提供することができる。
【００４９】
以上のように、本発明の第１実施形態に係る放送受信機能付き携帯電話機１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５０】
＜変形例１＞
第１実施形態において、記憶部１５が制御部１０と別に設けられている構成を示して説明したが、記憶部１５は制御部１０に内蔵され一体で構成されても良い。
【００５１】
＜変形例２＞
第１実施形態において、放送受信機能付き携帯電話機１００として説明したが、放送受信機能付きのスマートフォン、または放送受信機能付き無線情報端末（タブレット）等でも良い。
【符号の説明】
【００５２】
１０    制御部
１１    放送アンテナ
１２    無線通信アンテナ
１３    ＧＰＳアンテナ
１５    記憶部
２０    デジタル放送受信部
２１    狭帯域除去フィルター
２２    低雑音増幅部
２３    ミキサー部
２４    局部発振部
２５    低域通過フィルター
２６    ＡＤＣ
２７    データ復調部
２８    ＴＳ出力部
３０    ＬＴＥ無線通信部
４０    ＧＰＳ受信部
５０    Ｉ／Ｆ部
５１    表示部
５２    音声出力部
５３    音声入力部
５４    データ入出力部
１００  放送機能付き携帯電話機
９００  放送受信機能付き携帯移動電話機
９１０  主放送受信部
９２０  副放送受信部
９３０  受信データおよび品質比較部
９４０  関連局情報登録手段
【図１】
2015133622.tif 000003
【図２】
2015133622.tif 000004
【図３】
2015133622.tif 000005
【図４】
2015133622.tif 000006
【図５】
2015133622.tif 000007